(57)【要約】【課題】コンテンツの配信を効率よく行うことができ、コンテンツ提供者や受講者での手間を簡略化することのできるコンテンツ配信方法およびシステムを実現する。【解決手段】関連する複数のファイルと、各ファイルのファイル名やファイルサイズなどを示すパッケージ構成情報ファイルと、からパッケージを構成して配信する配信ステップと、携帯端末において、前記パッケージに含まれるファイルを一括して配布を受ける受信ステップと、からなる。【選択図】図１
2007226307.tif 000002
【特許請求の範囲】
【請求項１】
関連する複数のファイルと、各ファイルのファイル名やファイルサイズなどを示すパッケージ構成情報ファイルと、からパッケージを構成して配信する配信ステップと、
携帯端末において、前記パッケージに含まれるファイルを一括して配布を受ける受信ステップと、からなるコンテンツ配信方法。
【請求項２】
請求項１記載のコンテンツ配信方法において、
パッケージ情報ファイルにはコンテンツの著作権情報が含まれるものとし、
受信ステップでは、前記著作権情報を参照して配布を受けるか否かを決定するコンテンツ配信方法。
【請求項３】
関連する複数のファイルと、各ファイルのファイル名やファイルサイズなどを示すパッケージ構成情報ファイルと、からパッケージを構成して配信する配信手段と、
パッケージデータ用のメモリ領域と、前記パッケージに含まれるファイルを一括して前記メモリ領域に格納する管理機能を有する携帯端末と、からなるコンテンツ配信システム。
【請求項４】
請求項１記載のコンテンツ配信システムにおいて、
配信手段はパッケージ情報ファイルにコンテンツの著作権情報を含めてパッケージを構成し、
管理機能は、前記著作権情報を参照して前記パッケージに含まれるファイルを一括して前記メモリ領域に格納するか否かを決定するコンテンツ配信システム。
【請求項５】
パッケージデータ用のメモリ領域と、
関連する複数のファイルと、各ファイルのファイル名やファイルサイズなどを示すパッケージ構成情報ファイルと、からなるパッケージについて、前記パッケージに含まれるファイルを一括して前記メモリ領域に格納する管理機能を有する携帯端末。
【請求項６】
請求項５記載の携帯端末において、
パッケージ情報ファイルにはコンテンツの著作権情報を含まれており、
管理機能は、前記著作権情報を参照して前記パッケージに含まれるファイルを一括して前記メモリ領域に格納するか否かを決定する携帯端末。
【発明の詳細な説明】
【技術分野】
【０００１】
本発明は携帯端末へのコンテンツ配信システムおよび方法に関する。
【背景技術】
【０００２】
ブラウザ機能を持った携帯端末に対して、画像や動画等のマルチメディア情報を含んだコンテンツを配布することが多く行われており、例えば特許文献１（特開２００４−１９９２５９号公報）などに開示されている。特許文献１にはコンテンツと該コンテンツを展開するための展開用ソフトの更新データとをパッケージとして配布する技術が開示されている。
【特許文献１】特開２００４−１９９２５９号公報
【発明の開示】
【発明が解決しようとする課題】
【０００３】
携帯端末にダウンロードされるコンテンツは、その携帯性からダウンロードテキストデータや画像データ、メロディ、ゲーム等のデータが多く、これらを個別にダウンロードする方法が多く用いられている。
【０００４】
例えば、英会話データの配信サービスを考えた場合、英会話受講者へ提供するデータとしては、「見る（＝ムービーデータ）、読む（＝テキストデータ）、聞く（＝音声データ）」といった体系的なデータであり、これらを配信する必要があるが、それぞれのデータを個別に配信する事は、コンテンツ提供者や受講者相互に煩雑なものであるという問題点がある。
【０００５】
本発明は上述したような従来の技術が有する問題点に鑑みてなされたものであって、コンテンツの配信を効率よく行うことができ、コンテンツ提供者や受講者での手間を簡略化することのできるコンテンツ配信方法およびシステムを実現することを目的とする。
【課題を解決するための手段】
【０００６】
本発明のコンテンツ配信方法は、関連する複数のファイルと、各ファイルのファイル名やファイルサイズなどを示すパッケージ構成情報ファイルと、からパッケージを構成して配信する配信ステップと、
携帯端末において、前記パッケージに含まれるファイルを一括して配布を受ける受信ステップと、からなる。
【０００７】
この場合、パッケージ情報ファイルにはコンテンツの著作権情報が含まれるものとし、
受信ステップでは、前記著作権情報を参照して配布を受けるか否かを決定することとしてもよい。
【０００８】
本発明のコンテンツ配信システムは、関連する複数のファイルと、各ファイルのファイル名やファイルサイズなどを示すパッケージ構成情報ファイルと、からパッケージを構成して配信する配信手段と、
パッケージデータ用のメモリ領域と、前記パッケージに含まれるファイルを一括して前記メモリ領域に格納する管理機能を有する携帯端末と、からなる。
【０００９】
この場合、配信手段はパッケージ情報ファイルにコンテンツの著作権情報を含めてパッケージを構成し、
管理機能は、前記著作権情報を参照して前記パッケージに含まれるファイルを一括して前記メモリ領域に格納するか否かを決定することとしてもよい。
【００１０】
本発明の携帯端末は、パッケージデータ用のメモリ領域と、
関連する複数のファイルと、各ファイルのファイル名やファイルサイズなどを示すパッケージ構成情報ファイルと、からなるパッケージについて、前記パッケージに含まれるファイルを一括して前記メモリ領域に格納する管理機能を有する。
【００１１】
この場合、パッケージ情報ファイルにはコンテンツの著作権情報を含まれており、
管理機能は、前記著作権情報を参照して前記パッケージに含まれるファイルを一括して前記メモリ領域に格納するか否かを決定することとしてもよい。
【発明の効果】
【００１２】
上記のように構成される本実施例においては、「見る（＝ムービーデータ）、読む（＝テキストデータ）、聞く（＝音声データ）」のデータについて、例えばＨＴＭＬ形式をベースとした一つのコンテンツデータとしてパッケージ化して受講者へ配信することで、受講者はブラウザ機能を持った携帯電話を用いてそれを受信し、携帯電話に格納する事で、より簡単にサービスを受ける事が可能となる。
【００１３】
ブラウザ機能を持った携帯電話において、画像や動画等のマルチメディア情報を含んだパッケージデータを、携帯電話内部にダウンロードすることで、利用者はよりリッチなコンテンツを楽しむ事ができる方法である。
【発明を実施するための最良の形態】
【００１４】
次に、本発明の実施例について図面を参照して説明する。
【００１５】
図１は、本発明によるシステムの一実施例の構成を示すブロック図である。
【００１６】
本実施例は携帯電話１と、インターネット網１１と、インターネット網１１を介して携帯電話１と通信を行うコンテンツサーバ１２と、携帯電話１と直接通信を行う外部機器（もしくは外部メモリ）１３から構成されている。外部機器１３としては、パーソナルコンピュータやＳＤカード等が用いられる。
【００１７】
携帯電話１は、表示コントローラ２、液晶ディスプレイ３、ＲＯＭなどの不揮発領域４、パッケージデータのファイル管理機能（ユーザインタフェース（ＵＩ）部を含む）７、フルブラウザ機能８、メーラ機能９、外部機器および外部メモリからのデータの転送機能１０から構成されている。不揮発領域４には、ダウンロードしてきたパッケージデータを格納する領域であるパッケージデータ用５と、携帯電話の各機能が参照可能とするデータが格納されている領域である共通参照エリア６が存在する。
【００１８】
図２は本実施例で用いられるパッケージデータの構造を示す図である。
【００１９】
携帯電話１は内部にｎ個のパッケージデータを保存可能であり、各パッケージデータは相互に参照できない。パッケージデータにはパッケージを構成するファイル名、ファイルサイズなどを示すパッケージ構成情報ファイルが１つあり、その配下に、複数個のＨＴＭＬファイル、マルチメディアファイル（画像、動画、音声など）がある。
【００２０】
図３は本実施例の動作を示すフローチャートであり、以下に図３を参照して本実施例の動作について、詳細に説明する。
【００２１】
図３に示すフローチャートは、パッケージデータの配信から表示するパッケージデータを携帯電話に格納し、そのデータをブラウザ機能で表示するまでの流れを示している。
【００２２】
コンテンツ提供者は、ＨＴＭＬコンテンツを作成し（ステップＳ１）、さらに、パッケージ構成情報ファイルを作成する（ステップＳ２）。次に、作成したパッケージ構成情報ファイルを携帯電話１に配信する。このときの配信経路としては、インターネット（ステップＳ３）、メール（ステップＳ４）、外部機器（ステップＳ５）があり、携帯電話１にはいずれかの経路を介して配信される。
【００２３】
携帯電話１では入手したパッケージデータを不揮発領域へ格納する（ステップＳ６）。そして、携帯電話１の利用者がパッケージデータのファイル管理機能７を起動する旨の入力を携帯電話１の入力部（不図示）に行うと（ステップＳ７）、パッケージデータのファイル管理機能７は不揮発領域４内のパッケージデータ用５の領域を参照して表示可能なパッケージデータの一覧を表示コントローラ２を介して液晶部３に表示させる。
【００２４】
携帯電話１の利用者が液晶部３の一覧を確認して表示させたいパッケージデータを選択する旨の入力を携帯電話１の入力部に行うと（ステップＳ８）、パッケージデータのファイル管理機能７はパッケージデータをブラウザ機能８へ渡す（ステップＳ９）ことで、コンテンツデータが表示される（ステップＳ１０）。
【００２５】
パッケージデータ内のパッケージ構成情報ファイル以外のファイルはブラウザ経由でのみ参照可能とする。つまり、パッケージ構成情報ファイル以外のファイルをブラウザ機能以外で参照したい場合は、一旦共通参照エリア６に保存する必要がある。その為、パッケージデータ内のパッケージデータを構成するファイルを携帯電話の共通参照エリア６に保存するパッケージデータのファイル管理機能７は、ブラウザ機能を経由してファイルを保存する。
【００２６】
図４はパッケージデータのファイル管理機能７が、ブラウザを見た携帯電話１の利用者がパッケージデータ内のマルチメディアファイルを選択して携帯電話に保存する旨の入力を携帯電話１の入力部に行った場合の動作を示すフローチャートである。
【００２７】
上記の選択が行われると（ステップＳ１１）、パッケージデータのファイル管理機能７は保存対象に指定されたファイルの保護情報の有無を確認する（ステップＳ１２）。保護情報の有無は具体的には、保存対象のパッケージ構成情報ファイル内の著作権情報を参照することによって行われ、著作権情報が「保護」となっている場合は携帯電話に保存できない旨の画面表示を表示コントローラ２を介して液晶部３に表示させ（ステップＳ１３）、対象ファイルを携帯電話に保存しないで終了とする。また、著作権情報がない場合には、対象ファイルを不揮発領域４のパッケージデータ用５の領域に保存して（ステップＳ１４）終了する。ステップＳ１４における保存は１つのパッケージ構成情報ファイルに関連するすべてのマルチメディアファイルについて行われる。
【００２８】
なお、パッケージ構成情報ファイル内の著作権情報については有無だけではなく、例えば、参照回数、参照可能時間をも記録するものとし、パッケージデータのファイル管理機能７はその範囲内であればパッケージデータ用５の領域に保存したり、保存したデータを参照可能とするように構成してもよい。
【００２９】
また、パッケージデータ内のデータを利用者自身が編集可能とし、変更したパッケージデータをコンテンツ提供者へアップロード可能としてもよい。
【図面の簡単な説明】
【００３０】
【図１】本発明によるシステムの一実施例の構成を示すブロック図である。
【図２】本発明の実施例で用いられるパッケージデータの構造を示す図である。
【図３】本発明の実施例で、パッケージデータの配信から表示するパッケージデータを携帯電話に格納し、そのデータをブラウザ機能で表示するまでの流れを示すフローチャートである。
【図４】図１中のパッケージデータのファイル管理機能７が、ブラウザを見た携帯電話１の利用者がパッケージデータ内のマルチメディアファイルを選択して携帯電話に保存する旨の入力を携帯電話１の入力部に行った場合の動作を示すフローチャートである。
【符号の説明】
【００３１】
１    携帯電話
２    表示コントローラ
３    液晶ディスプレイ
４    不揮発領域
５    パッケージデータ用
６    共通参照エリア
７    パッケージデータのファイル管理機能
１１    インターネット網
１２    コンテンツサーバ
１３    外部機器
【図１】
2007226307.tif 000003
【図２】
2007226307.tif 000004
【図３】
2007226307.tif 000005
【図４】
2007226307.tif 000006